(57)【要約】      （修正有）【課題】別途部材を必要とせず、簡単な構成かつ操作で、左右両利き用として使用可能な鋏を提供する。【解決手段】切刃部を有する刃部１０，１１及び該刃部の基端側に設けられた柄部１４を備える一対の鋏片２０，２１が、前記刃部に設けられた連結部１４を中心に互いに開閉動可能に連結支持されている。また、少なくとも一方の鋏片２０，２１の柄部１４が、該鋏片の刃部に対して回動可能に連結支持されている。【選択図】図１
0003184736.tif 000002
【実用新案登録請求の範囲】
【請求項１】
切刃部を有する刃部及び該刃部の基端側に設けられた柄部を備える一対の鋏片が、前記刃部に設けられた連結部を中心に互いに開閉動可能に連結支持された鋏において、
少なくとも一方の鋏片の柄部が、該鋏片の刃部に対して回動可能に連結支持されていることを特徴とする鋏。
【請求項２】
前記一対の鋏片の両刃部が閉じられた状態で、前記柄部が互いに重なり合う第一の位置と、互いに重なり合わない第二の位置とに配置可能である請求項１に記載の鋏。
【請求項３】
前記第二の位置は、前記柄部が前記鋏片の刃部に対して一方側に配置される第三の位置と、他方側に配置される第四の位置とを含む請求項２に記載の鋏。
【請求項４】
前記少なくとも一方の鋏片の柄部を所定の回動位置でロックするためのロック機構をさらに備える請求項１〜３の何れかに記載の鋏。
【請求項５】
前記ロック機構は、前記少なくとも一方の鋏片の前記刃部の基端部に形成された複数の切り欠きと、前記一方の鋏片の前記柄部に設けられるとともに、前記切り欠きに対してスライド自在に係合可能な係止部とで構成されている請求項１〜４の何れかに記載の鋏。
【請求項６】
前記係止部には、前記少なくとも一方の鋏片の柄部の上に露出する操作ボタンが設けられている請求項５に記載の鋏。
【請求項７】
前記一対の鋏片の両刃部が閉じられた状態で、該両刃部を着脱自在に覆うためのカバーをさらに備える請求項１〜６の何れかに記載の鋏。
【請求項８】
前記カバーは、一端側にクリップ部を備える請求項７に記載の鋏。
【考案の詳細な説明】
【技術分野】
【０００１】
本考案は、鋏に関し、特に、柄部を改良した鋏に関する。
【背景技術】
【０００２】
従来より、対象物を切断するための種々の鋏が利用されている。そして、一般的な鋏では、使用者が右利きであるか、左利きであるかによって、使用者が鋏の向きを変えて（鋏を反転させて）使用するようにしている。また、一般的な鋏では、右利き用として構成されているものが多く、左利きの使用者が右利き用の鋏を使いにくい場合がある。そのため、左利き用の鋏も利用されているが、例えば、右利き、左利きを含む複数の使用者が鋏を使用する場合、使いやすさを考慮して、右利き用、左利き用の鋏をそれぞれ用意する必要がある。そこで、使用者が右利きであるか、左利きであるかに拘らず、左右両利き用で使用可能な鋏が提案されている（例えば、実用新案登録第３１７１５０９号公報参照）。
【０００３】
かかる鋏は、切刃部を有する刃部及び該刃部の基端側に設けられた柄部を備える一対の鋏片が、刃部と柄部との間に設けられた連結部を中心に互いに開閉動可能に連結支持された鋏において、一対の鋏片の柄部のそれぞれに、指掛部が設けられている。
【０００４】
この種の鋏では、切刃部は、各刃部の幅方向の両側に設けられている。また、指掛部は、可撓性を有する材料によって形成されており、各柄部の長手方向の両側に設けられた止め部によって各柄部に連結支持されている。より具体的には、指掛部は、一端を、各柄部の一端側（連結部から遠い端部側）に設けられた一方の止め部（固定止め部）によって連結固定されているとともに、他端を、各柄部の他端側（連結部に近い端部側）に設けられた他方の止め部（可動止め部）に連結されている。また、各柄部には、長手方向に延びるように案内孔が形成されている。そして、可動止め部は、各柄部の案内孔に挿嵌された状態で、各柄部の長手方向に沿って、案内孔を移動可能となっている。
【０００５】
すなわち、指掛部は、止め部同士が最も離間された場合、各柄部の長手方向に棒状に引き延ばされた状態になっており、この状態から、可動止め部が固定止め部に対して接近されるにつれて、指掛部は、各柄部の幅方向の外側に次第に移動されるようになっている。これにより、両指掛部は、両柄部の幅方向の両側にそれぞれ突出するように形成されている。
【０００６】
また、上述のように、指掛部は、可撓性を有する材料によって形成されているため、両柄部の幅方向の両側にそれぞれ突出したままの形状を維持されることができる。そうすると、各柄部と、各柄部に設けられた各指掛部との間に空間（指用挿入孔）が形成されるようになる。この状態で、使用者の手（指）に応じて、可動止め部を固定止め部に対して位置決めし、空間（指用挿入孔）の大きさを、親指用及び親指以外の４本の指用挿入孔として適宜調整した後、可動止め部をボルト、ナット等によって各柄部に固定するようにしている。
【０００７】
かかる鋏を用いて、右利きの使用者が対象物を切断する場合、まず、止め部同士が最も離間された状態で（指掛部が棒状に引き延ばされた状態で）、各刃部の両切刃部のうち、一方の切刃部同士が対向するように刃部を開動させるとともに、各柄部の可動止め部を固定止め部に対して接近するように移動させ、各指掛部を各柄部の幅方向の外側に突出させるようにする。そして、各柄部と、各柄部に設けられた各指掛部との空間（指用挿入孔）を、使用者の手（指）に応じて適宜調節し、可動止め部をボルト、ナット等によって各柄部に固定した後、一方の空間（指用挿入孔）を親指用挿入孔とするとともに、他方の空間（指用挿入孔）を親指以外の４本の指用挿入孔とし、それぞれの指用挿入孔に各指を挿入して各柄部を把持することで、右利きの使用者が両柄部を把持して対象物を切断するようにすることができる。
【０００８】
また、かかる鋏を用いて、左利きの使用者が対象物を切断する場合、まず、止め部同士が最も離間された状態で（指掛部が棒状に引き延ばされた状態で）、各刃部の両切刃部のうち、他方の切刃部同士が対向するように刃部を開動させるとともに、各柄部の可動止め部固定を止め部に対して接近するように移動させ、各指掛部を各柄部の幅方向の外側に突出させるようにする。そして、各柄部と、各柄部に設けられた各指掛部との間の空間（指用挿入孔）を、使用者の手（指）に応じて適宜調節し、可動止め部をボルト、ナット等によって各柄部に固定した後、一方の空間（指用挿入孔）を親指以外の４本の指用挿入孔とするとともに、他方の空間（指用挿入孔）を親指用挿入孔とし、それぞれの指用挿入孔に各指を挿入して各柄部を把持することで、左利きの使用者が両柄部を把持して対象物を切断するようにすることができる。
【先行技術文献】
【特許文献】
【０００９】
【特許文献１】実用新案登録第３１７１５０９号公報
【考案の概要】
【考案が解決しようとする課題】
【００１０】
上述の鋏では、使用者の利き手に応じて、一方又は他方の切刃部同士が対向するように一対の鋏片を回動させるとともに、可動止め部と固定止め部との間隔を適宜調節することで、各柄部と各指掛部との間の空間を調節し、可動止め部を固定止め部に対して位置決めしてボルト、ナットで固定し、指用挿入孔として使用することで、左右両利き用の鋏として使用することは可能である。しかしながら、指掛部、止め部（可動止め部、固定止め部）、ボルト、ナット等といった部材が別途必要であり、構成が複雑になるといった問題があった。
【００１１】
また、使用者の利き手や手（指）の大きさに応じて、ボルト、ナット等による可動止め部の固定を一旦緩めた後、各柄部の可動止め部と固定止め部との間隔をその都度調節し、ボルト、ナット等で各柄部に可動止め部を再度固定することで、指用挿入孔の大きさをその都度変更（微調整）する必要があり、操作が煩雑になるといった問題もあった。
【００１２】
そこで、本考案は、斯かる実情に鑑み、別途部材を必要とせず、簡単な構成かつ操作で、左右両利き用として使用することができる鋏を提供することを目的とする。
【課題を解決するための手段】
【００１３】
本考案に係る鋏は、切刃部を有する刃部及び該刃部の基端側に設けられた柄部を備える一対の鋏片が、刃部に設けられた連結部を中心に互いに開閉動可能に連結支持された鋏において、少なくとも一方の鋏片の柄部が、該鋏片の刃部に対して回動可能に連結支持されていることを特徴とする。
【００１４】
上記構成の鋏によれば、少なくとも一方の鋏片の柄部を、該鋏片の刃部に対して回動させるといった簡単な操作で、少なくとも一方の鋏片の柄部と、少なくとも他方の鋏片の柄部との間を任意の位置で離間させることができるとともに、両柄部における互いの相対位置を変更することができる。これにより、使用者の利き手に応じて、両柄部の相対位置を適宜変更し、両柄部を把持した状態で、一対の鋏片を、刃部に設けられた連結部を中心に互いに開閉動させることで、刃部の対向する切刃部によって対象物を切断することができる。そのため、別途部材を必要とせず、簡単な構成かつ操作で、左右両利き用として使用することができる。
【００１５】
本考案の一態様として、一対の鋏片の両刃部が閉じられた状態で、柄部が互いに重なり合う第一の位置と、互いに重なり合わない第二の位置とに配置可能であるのが好ましい。
【００１６】
上記構成によれば、鋏を使用しない場合には、一対の鋏片の両刃部が閉じられた状態で、柄部を互いに重なり合う第一の位置に配置するようにすれば、一対の鋏片を、コンパクトに収納することができる。また、鋏を使用する場合には、使用者の利き手に応じて、柄部を、互いに重なり合わない第二の位置に配置した状態で両柄部を把持し、一対の鋏片を、刃部に設けられた連結部を中心に互いに開閉動させることで、刃部の対向する切刃部によって対象物を切断することができる。
【００１７】
本考案の他態様として、第二の位置は、柄部が鋏片の刃部に対して一方側に配置される第三の位置と、他方側に配置される第四の位置とを含んでもよい。
【００１８】
上記構成によれば、使用者が右利きである場合、例えば、一方の柄部を、鋏片の刃部に対して、第三の位置に配置した状態で両柄部を把持し、一対の鋏片の両刃部を、連結部を中心に互いに開閉動させることで、刃部の対向する切刃部によって対象物を切断することができる。また、使用者が左利きである場合、例えば、一方の柄部を、鋏片の刃部に対して、第四の位置に配置した状態で両柄部を把持し、一対の鋏片を、刃部に設けられた連結部を中心に互いに開閉動させることで、刃部の対向する切刃部によって対象物を切断することができる。
【００１９】
本考案の別態様として、少なくとも一方の鋏片の柄部を所定の回動位置でロックするためのロック機構をさらに備えるのが好ましい。
【００２０】
上記構成によれば、使用者の利き手に応じて、少なくとも一方の鋏片の柄部を、一対の鋏片の刃部に対して、所望の回動位置で確実にロックすることができ、少なくとも一方の鋏片の柄部がロックされた状態で両柄部を安定して把持することができ、一対の鋏片を、刃部に設けられた連結部を中心に互いに開閉動させることで、刃部の対向する切刃部によって対象物を切断することができる。
【００２１】
本考案のさらに別態様として、ロック機構は、少なくとも一方の鋏片の刃部の基端部に形成された複数の切り欠きと、一方の鋏片の柄部に設けられるとともに、切り欠きに対してスライド自在に係合可能な係止部とで構成されているのが好ましい。
【００２２】
上記構成によれば、複数の切り欠きと、該切り欠きに対してスライド自在に係合可能な係止部といった簡単な構成によって、及び、複数の切り欠きと、係止部とを係合させるといった簡単な操作によって、少なくとも一方の鋏片の柄部を、一対の鋏片の刃部に対して、所望の位置で確実にロックすることができる。また、複数の切り欠きのうち所望の切り欠きに係止部を係合させることで、使用者の利き手や手（指）に応じて、少なくとも一方の鋏片の柄部を、一対の鋏片の刃部に対して、所望の角度でロックすることができ、汎用性がある。
【００２３】
係止部には、少なくとも一方の鋏片の柄部の上に露出する操作ボタンが設けられているのが好ましい。
【００２４】
上記構成によれば、操作ボタンといった簡単な構成、及び、操作ボタンを操作するといった簡単な操作によって、複数の切り欠きのうち所望の位置の切り欠きに、係止部を簡単かつ確実に係合させることができるとともに、切り欠きと係止部との係合を簡単に解除することができる。
【００２５】
本考案のさらに他の態様として、一対の鋏片の両刃部が閉じられた状態で、該両刃部を着脱自在に覆うためのカバーをさらに備えるのが好ましい。
【００２６】
上記構成によれば、鋏を使用する場合には、両刃部を覆うカバーを外した状態で、上述のようにして、刃部の対向する切刃部によって対象物を切断することができる。また、鋏を使用しない場合には、一対の鋏片の両刃部が閉じられた状態で、両刃部にカバーを取り付けることで、切刃部に直接触れることがなく、切刃部を保護することができるとともに、例えば、鋏を持ち運ぶ際に、切刃部によって、怪我をしたり、鋏の収納物に傷をつけたりするのを防ぐことができる。
【００２７】
本考案のさらに他の態様として、カバーは、一端側にクリップ部を備えるのが好ましい。
【００２８】
上記構成によれば、クリップ部といった簡単な構成で、一対の鋏片の両刃部が閉じられ、両刃部にカバーが取り付けられた状態で、例えば、クリップ付きペン等のように、鞄や服のポケット等に引っ掛けることができる。
【考案の効果】
【００２９】
以上のように、本考案の鋏によれば、別途部材を必要とせず、簡単な構成かつ操作で、左右両利き用として使用することができるといった優れた効果を奏し得る。
【図面の簡単な説明】
【００３０】
【図１】本考案の一実施形態に係る鋏の正面図である。
【図２】同実施形態に係る鋏の背面図である。
【図３】同実施形態に係る鋏の側面図である。
【図４】同実施形態に係る鋏の一方の柄部が、両刃部に対して一方側に回動されている状態を示す図である。
【図５】同実施形態に係る鋏の一方の柄部が、両刃部に対して他方側に回動されている状態を示す図である。
【図６】同実施形態に係る鋏の一方の柄部に設けられた第二の連結部の拡大斜視図である。
【図７】同実施形態に係る鋏の両刃部がカバーで覆われた状態を示す正面図である。
【図８】同実施形態に係る鋏の両刃部がカバーで覆われた状態を示す背面図である。
【図９】同実施形態に係る鋏の両刃部がカバーで覆われた状態を示す側面図である。
【図１０】同実施形態に係る一対の鋏片の両刃部が閉じられた状態で、両柄部が重なり合う第一の位置に配置した状態を示す図である。
【図１１】同実施形態に係る鋏を、右利き用として使用する時の状態を示す図である。
【図１２】同実施形態に係る鋏を、右利き用として使用する時の状態を示す図である。
【図１３】同実施形態に係る鋏を、左利き用として使用する時の状態を示す図である。
【図１４】同実施形態に係る鋏を、左利き用として使用する時の状態を示す図である。
【考案を実施するための形態】
【００３１】
以下、本考案の一実施形態に係る鋏について、図面を参照して説明する。
【００３２】
図１〜５に示すように、本実施形態に係る鋏１００は、切刃部１０ａ，１０ｂ，１１ａ，１１ｂを有する刃部１０，１１及び該刃部１０，１１の基端側に設けられた柄部１２，１３を備える一対の鋏片２０，２１を備える。該一対の鋏片２０，２１は、刃部１０，１１に設けられた連結部（以下、第一の連結部という）１４を中心に互いに開閉動可能に連結支持されている。なお、図１〜５では、説明の便宜上、両刃部から後述するカバーを外した状態を示している。
【００３３】
より具体的には、鋏１００では、切刃部１０ａ，１０ｂ，１１ａ，１１ｂは、各刃部１０，１１の幅方向のそれぞれの両側に設けられている。一対の鋏片２０，２１の両刃部１０，１１が、第一の連結部１４を中心に、閉状態（例えば、図１，図１１、図１３を参照のこと）と、開状態（例えば、図１２，図１４を参照のこと）との間を互いに開閉動するようになっている。開状態では、一方の鋏片２０の刃部１０と他方の鋏片２１の刃部１１とが互いに離間し、閉状態では、両刃部１０，１１の切刃部１０ａ，１１ａ（１０ｂ，１１ｂ）が互いに噛み合いながら摺接する（重なり合う）。
【００３４】
両刃部１０，１１の切刃部１０ａ，１１ａ（１０ｂ，１１ｂ）は、一対の鋏片２０，２１が開状態（図１２，１４の状態）から閉状態（図１，図１１、図１３の状態）にある時に、互いに摺接することで、一対の鋏片２０，２１の刃部１０，１１の間に挿入された対象物（図示せず）を切断できるようになっている。なお、一対の鋏片２０，２１における右利き用及び左利き用のそれぞれの開閉状態については、後で詳細に説明する。
【００３５】
両刃部１０，１１は、第一の連結部１４付近までは略同じ形状となるように形成されている（図３，１２，１４を参照のこと）。また、両刃部１０，１１は、先端側（連結部から遠い側）から基端側（連結部に近い側）に向けてやや幅広に形成されている。すなわち、両刃部１０，１１では、先端側（連結部から遠い側）が基端側（連結部に近い側）よりやや幅狭となるようになっている。本実施形態においては、両刃部１０，１１は、先端側（連結部に遠い側）から基端側（連結部に近い側）に向けてやや幅広に形成されているが、これに限定されるものではない。
【００３６】
一方の刃部１０は、基端部（柄部に近い端部側）に、柄部１２に向けて略円弧状に膨らむ円弧状部１５を有する（図１０を参照のこと）。該円弧状部１５は、略中央に、後述する第二の連結部１６の雄ねじ１６ａ及び雌ねじ１６ｂを挿入可能な軸孔１５ａを有する。また、円弧状部１５の端部には、後述するロック機構１７の複数の切り欠き（本実施形態においては、３つの切り欠き（１７ａ，１７ｂ，１７ｃ）が形成されている。
【００３７】
他方の刃部１１においては、基端部側（柄部に近い端部側）が、後述する他方の鋏片２１の柄部１３に形成された後述する孔部１３ｃ付近まで延びるように形成されている（図４，５を参照のこと）。本実施形態においては、他方の刃部１１の基端部側（柄部に近い端部側）が、他方の鋏片２１の柄部１３に形成された孔部１３ｃ付近まで延びるように形成されているが、これに限定されるものではない。
【００３８】
図１〜５に戻り、第一の連結部１４は、雄ねじ１４ａと、該雄ねじ１４ａに係合可能な雌ねじ１４ｂとによって形成されている。また、一対の鋏片２０，２１の刃部１０，１１には、雄ねじ１４ａ及び雌ねじ１４ｂを挿入可能な軸孔１０ｃ、１１ｃが形成されている。すなわち、一対の鋏片２０，２１の刃部１０，１１は、両刃部１０，１１の両側から軸孔１０ｃ、１１ｃ内に挿入された雄ねじ１４ａと雌ねじ１４ｂとが係合することで回動可能に枢結されている。これにより、両鋏片２０，２１が第一の連結部１４を中心に互いに開閉動可能となっている。
【００３９】
一対の鋏片の柄部１２，１３においては、一方の柄部１２が、一端側に後述する第二の連結部１６及びロック機構１７を有する以外は、略同じ形状となるように形成されている。一方の鋏片２０の柄部１２は、刃部１０の基端側に連設される支持部１２ａと、該支持部１２ａの端部側に設けられる把持部１２ｂとで構成されている。一方の鋏片２０の柄部１２に設けられた把持部１２ｂには、親指又は親指以外の４本の指を挿入可能な孔部１２ｃが形成されている。
【００４０】
他方の鋏片２１の柄部１３は、刃部１１の基端側に連設される支持部１３ａと、該支持部１３ａの端部側に設けられる把持部１３ｂとで構成されている。他方の鋏片２１の柄部１３に設けられた把持部１３ｂには、親指又は親指以外の４本の指を挿入可能な孔部１３ｃが形成されている。
【００４１】
また、少なくとも一方の鋏片２０（２１）の柄部１２（１３）が、該鋏片２０（２１）の刃部１０（１１）に対して回動可能に連結支持されている。本実施形態においては、図４，５及び図１０〜１４に示すように、一方の鋏片２０の柄部１２が、該鋏片２０の刃部１０に対して第二の連結部１６を中心に回動可能に連結支持されている。
【００４２】
第二の連結部１６は、雄ねじ１６ａと、該雄ねじ１６ａに係合可能な雌ねじ１６ｂとによって形成されている。前述のように、一方の鋏片２０の刃部１０に形成された円弧状部１５は、雄ねじ１６ａ及び雌ねじ１６ｂを挿入可能な軸孔１５ａを有する。また、一方の鋏片２０の柄部１２は、一方の鋏片２０の刃部１０の軸孔１５ａと合う軸孔１２ｄを有する。
【００４３】
すなわち、一方の鋏片２０の刃部１０の軸孔１５ａと、一方の鋏片２０の柄部１２の軸孔１２ｄと、を合わせた状態で、刃部１０及び柄部１２の両側から軸孔１５ａ，１２ｄ内に挿入された雄ねじ１６ａと雌ねじ１６ｂとが係合することで、回動可能に枢結されている。これにより、一方の鋏片２０の柄部１２が、刃部１０に対して、第二の連結部１６（１６ａ，１６ｂ）を中心に開閉動可能となっている。
【００４４】
本実施形態に係る鋏１００は、一対の鋏片２０，２１の両刃部１０，１１が閉じられた状態で、柄部１２，１３が互いに重なり合う第一の位置（図１を参照のこと）と、互いに重なり合わない第二の位置（図４，５を参照のこと）とに配置可能である。柄部１２，１３が互いに重なり合う第一の位置に配置される場合、両刃部１０，１１と、柄部１２，１３とが、略直線状に配置されるようになる。
【００４５】
また、第二の位置は、柄部１２（１３）が鋏片２０，２１の刃部１０，１１に対して一方側に配置される第三の位置（図４を参照のこと）と、他方側に配置される第四の位置（図５を参照のこと）とを含むようになっている。すなわち、本実施形態に係る鋏１００は、例えば、図４に示すように、柄部１２が鋏片２０，２１の刃部１０，１１に対して第三の位置に配置される場合、右利き用として使用されるとともに、図５に示すように、柄部１２が鋏片２０，２１の刃部１０，１１に対して第四の位置に配置される場合、左利き用として使用されることができるようにする。
【００４６】
本実施形態に係る鋏１００は、少なくとも一方の鋏片２０（２１）の柄部１２（１３）を所定の回動位置でロックするためのロック機構１７をさらに備える。本実施形態においては、図６に示すように、一方の鋏片２０の柄部１２を所定の回動位置でロックするためのロック機構１７をさらに備える。
【００４７】
ロック機構１７は、少なくとも一方の鋏片２０（２１）の刃部１０（１１）の基端部に形成された複数の切り欠き１７ａ・・・と、一方の鋏片２０の柄部１２に設けられるとともに、切り欠き１７ａ・・・に対してスライド自在に係合可能な係止部１７ｄとで構成されている。
【００４８】
本実施形態においては、図６に示すように、ロック機構１７は、一方の鋏片２０の刃部１０の基端部（円弧状部１５）に形成された３つの切り欠き１７ａ，１７ｂ，１７ｃと、一方の鋏片２０の柄部１２に設けられるとともに、３つの切り欠き１７ａ，１７ｂ，１７ｃのそれぞれに対してスライド自在に係合可能な係止部１７ｄとで構成されている。本実施形態においては、３つの切り欠き１７ａ，１７ｂ，１７ｃと、係止部１７ｄとは、弾性的に係合されるようになっている。
【００４９】
３つの切り欠き１７ａ，１７ｂ，１７ｃは、断面視において略台形状となるように形成されている。また、係止部１７ｄは、略台形状の３つの切り欠き１７ａ，１７ｂ，１７ｃと係合可能となるように、断面視において、略台形状に形成された頭部１７ｅと、該頭部１７ｅに連設され、略長方形状に形成された胴部１７ｆとで構成されている。
【００５０】
また、一方の鋏片２０の柄部１２には、係止部１７ｄがスライド自在に移動可能な案内孔１２ｅが形成されている。すなわち、係止部１７ｄは、図６に示す矢印の方向へ、案内孔１２ｅをスライド自在に移動することで、一方の鋏片２０の刃部１０の基端部（円弧状部１５）に形成された３つの切り欠き１７ａ，１７ｂ，１７ｃとの係合状態、又は係合解除状態を取ることができる。
【００５１】
図７に示すように、係止部１７ｄには、少なくとも一方の鋏片２０（２１）の柄部１２（１３）の上に露出する操作ボタン１８が設けられている。本実施形態においては、一方の鋏片２０の柄部１２の上に露出する操作ボタン１８が設けられている。操作ボタン１８は、一方の鋏片２０の柄部１２の長手方向に沿うように、断面視において、略楕円形状となるように形成されている。そして、操作ボタン１８を柄部１２の長手方向に沿ってスライドさせることで、操作ボタン１８に連設された係止部１７ｄが、案内孔１２ｅをスライドできるようになっている。
【００５２】
また、図７〜９に示すように、一対の鋏片２０，２１の両刃部１０，１１が閉じられた状態で、該両刃部１０，１１を着脱自在に覆うためのカバー１９をさらに備える。該カバー１９は、基端側（柄部に近い側）と、両柄部１２，１３の一端側（第二の連結部１６に近い側）とで弾性的に嵌着可能となっている。
【００５３】
また、カバー１９は、一端側にクリップ部１９ａを備える。該クリップ部１９ａは、カバー１９の一端側から基端側（柄部に近い側）に延びる形状を有している。また、クリップ部１９ａの先端には、カバー１９に向かう方向に小突起１９ｂが形成されている（図９を参照のこと）。
【００５４】
本実施形態に係る鋏１００の構成についての説明は以上の通りであり、次に、本実施形態に係る鋏１００を左右両利き用で用いる場合の操作について説明する。なお、図１０〜図１４では、説明の便宜上、両刃部１０，１１からカバー１９を外した状態を示している。
【００５５】
図１０は、本実施形態に係る鋏１００において、一対の鋏片２０，２１の両刃部１０，１１が閉じられた状態で、両柄部１２，１３が重なり合う第一の位置に配置された状態を示す。なお、図１０では、説明の便宜上、一方の柄部１２については、案内孔１２ｅのみを鎖線で示している。この状態では、係止部１７ｄが、３つの切り欠き１７ａ，１７ｂ，１７ｃのうち、真ん中の切り欠き１７ｂに係合されている。また、図１０では、刃部１０，１１からカバー１９が外された状態を示しているが、刃部１０，１１がカバー１９で覆われている場合には、一対の鋏片２０，２１（両柄部１２，１３）を把持した状態で、刃部１０，１１からカバー１９を外す。
【００５６】
まず、使用者が右利きの場合、操作ボタン１８を、案内孔１２ｅに沿って両柄部１２，１３に向けてスライドさせることで、真ん中の切り欠き１７ｂと係止部１７ｄとの係合を解除する。そして、図１１に示すように、一方の鋏片２０の柄部１２を、両刃部１０，１１の一方側の位置（第三の位置）まで回動させる。そうすると、一方の柄部１２が、他方の柄部１３に対して一定の角度で離間されるようになる。そして、操作ボタン１８を、案内孔１２ｅに沿って両刃部１０，１１に向けて押し込むようにスライドさせることで、係止部１７ｄを、３つの切り欠き１７ａ，１７ｂ，１７ｃのうち両刃部１０，１１の一方側にある切り欠き１７ｃに弾性的に係合させるようにする。これにより、一方の柄部１２が両刃部１０，１１に対して一方側で一定の角度で固定されるようになる。
【００５７】
この状態で、図１２に示すように、一方の鋏片２０の刃部１０を、他方の刃部１１に対して、第一の連結部１４を中心に他方側に所望の角度だけ回動させる。そうすることで、一方の鋏片２０の刃部１０が他方の刃部１１に対して離間するようになり、両柄部１２，１３を把持した状態で、両刃部１０，１１の間に対象物（図示せず）を挿入することで、一対の鋏片２０，２１の刃部１０，１１（切刃部１０ａ，１１ａ）によって対象物（図示せず）を切断することができる。
【００５８】
或いは、使用者が左利きの場合、まず、操作ボタン１８を、案内孔１２ｅに沿って両柄部１２，１３に向けてスライドさせることで、真ん中の切り欠き１７ｂと係止部１７ｄとの係合を解除する。そして、図１３に示すように、一方の鋏片２０の柄部１２を、両刃部１０，１１の他方側の位置（第四の位置）まで回動させる。そうすると、一方の柄部１２が、他方の柄部１３に対して一定の角度で離間されるようになる。そして、操作ボタン１８を、案内孔１２ｅに沿って両刃部１０，１１に向けて押し込むようにスライドさせることで、係止部１７ｄを、３つの切り欠き１７ａ，１７ｂ，１７ｃのうち両刃部１０，１１の他方側にある切り欠き１７ａに弾性的に係合させるようにする。これにより、一方の柄部１２が両刃部１０，１１に対して他方側で一定の角度で固定されるようになる。
【００５９】
この状態で、図１４に示すように、一方の鋏片２０の刃部１０を、他方の刃部１１に対して、第一の連結部１４を中心に一方側に所望の角度だけ回動させる。そうすることで、一方の鋏片２０の刃部１０が他方の刃部１１に対して離間するようになり、両柄部１２，１３を把持した状態で、両刃部１０，１１の間に対象物（図示せず）を挿入することで、一対の鋏片２０，２１の刃部１０，１１（切刃部１０ｂ，１１ｂ）によって対象物（図示せず）を切断することができる。このようにして、本実施形態に係る鋏１００は、使用者が右利きであるか、左利きであるかに拘らず、左右両利き用として使用されることができる。
【００６０】
以上のように、本実施形態に係る鋏１００は、一方の鋏片２０の柄部１２を、該鋏片２０の刃部１０，１１に対して回動させるといった簡単な操作で、一方の鋏片２０の柄部１２と、他方の鋏片２１の柄部１３との間を任意の位置で離間させることができるとともに、両柄部１２，１３における互いの相対位置を変更することができる。これにより、使用者の利き手に応じて両柄部１２，１３の相対位置を変更し、両柄部１２，１３を把持した状態で、一対の鋏片２０，２１を、刃部１０，１１に設けられた第一の連結部１４を中心に互いに開閉動させることで、刃部１０，１１の対向する切刃部１０ａ，１１ａ（１０ｂ、１１ｂ）によって対象物を切断することができる。そのため、別途部材を必要とせず、簡単な構成かつ操作で、左右両利き用として使用することができる。
【００６１】
また、鋏１００を使用しない場合には、一対の鋏２０，２１片の両刃部１０，１１が閉じられた状態で、柄部１２，１３を互いに重なり合う第一の位置に配置するようにすれば、一対の鋏片２０，２１を、コンパクトに収納することができる。また、鋏１００を使用する場合には、使用者の利き手に応じて、柄部１２（１３）を、互いに重なり合わない第二の位置に配置した状態で両柄部１２，１３を把持し、一対の鋏片２０，２１を、刃部１０，１１に設けられた第一の連結部１４を中心に互いに開閉動させることで、刃部１０，１１の対向する切刃部１０ａ，１１ａ（１０ｂ，１１ｂ）によって対象物を切断することができる。
【００６２】
また、使用者が右利きである場合、例えば、一方の柄部１２を、鋏片２０，２１の刃部１０，１１に対して、第三の位置に配置した状態で両柄部１２，１３を把持し、上述のようにして、刃部１０，１１の切刃部１０ａ，１１ａ（１０ｂ、１１ｂ）によって対象物を切断することができる。
【００６３】
また、使用者が左利きである場合、例えば、一方の柄部１２を、鋏片２０，２１の刃部１０，１１に対して、第四の位置に配置した状態で両柄部１２，１３を把持し、上述のようにして、刃部１０，１１の切刃部１０ａ，１１ａ（１０ｂ、１１ｂ）によって対象物を切断することができる。
【００６４】
また、使用者の利き手に応じて、一方の鋏片２０の柄部１２を、一対の鋏片２０，２１の刃部１０，１１に対して、所望の回動位置で確実にロックすることができ、一方の鋏片２０の柄部１２がロックされた状態で両柄部１２，１３を安定して把持することができ、上述のようにして、刃部１０，１１の切刃部１０ａ，１１ａ（１０ｂ、１１ｂ）によって対象物を切断することができる。
【００６５】
また、複数の切り欠き（本実施形態では、３つの切り欠き１７ａ，１７ｂ，１７ｃ）と、該切り欠き１７ａ，１７ｂ，１７ｃに対してスライド自在に係合可能な係止部１７ｄといった簡単な構成によって、及び、切り欠き１７ａ，１７ｂ，１７ｃと、係止部１７ｄとを係合させるといった簡単な操作によって、一方の鋏片２０の柄部１２を、一対の鋏片２０，２１の刃部１０，１１に対して、所望の位置で確実にロックすることができる。
【００６６】
また、３つの切り欠き１７ａ，１７ｂ，１７ｃのうち所望の切り欠きに係止部１７ｄを係合させることで、使用者の利き手や手（指）に応じて、一方の鋏片２０の柄部１２を、一対の鋏片２０，２１の刃部１０，１１に対して、所望の角度でロックすることができ、汎用性がある。
【００６７】
また、操作ボタン１８といった簡単な構成、及び、操作ボタン１８を操作するといった簡単な操作によって、３つの切り欠き１７ａ，１７ｂ，１７ｃのうち所望の位置の切り欠きに、係止部１７ｄを簡単かつ確実に係合させることができるとともに、３つの切り欠き１７ａ，１７ｂ，１７ｃと係止部１７ｄとの係合を簡単に解除することができる。
【００６８】
また、鋏１００を使用する場合には、両刃部１０，１１を覆うカバー１９を外した状態で、上述のようにして、刃部１０，１１の切刃部１０ａ，１１ａ（１０ｂ、１１ｂ）によって対象物を切断することができる。また、鋏１００を使用しない場合には、一対の鋏片２０，２１の両刃部１０，１１が閉じられた状態で、両刃部１０，１１にカバー１９を取り付けることで、切刃部１０ａ，１１ａ（１０ｂ、１１ｂ）に直接触れることがなく、切刃部１０ａ，１１ａ（１０ｂ、１１ｂ）を保護することができるとともに、例えば、鋏１００を持ち運ぶ際に、切刃部１０ａ，１１ａ（１０ｂ、１１ｂ）によって、怪我をしたり、鋏１００の収納物に傷をつけたりするのを防ぐことができる。
【００６９】
また、クリップ部１９ａといった簡単な構成で、一対の鋏片２０，２１の両刃部１０，１１が閉じられ、両刃部１０，１１にカバー１９が取り付けられた状態で、例えば、クリップ付きペン等のように、鞄や服のポケット等に引っ掛けることができる。
【００７０】
尚、本考案の鋏１００は、上記実施形態に限定されるものではなく、本考案の要旨を逸脱しない範囲で適宜変更し得ることは勿論のことである。
【００７１】
上記実施形態においては、第一の連結部１４が刃部１０，１１に設けられているが、これに限定されるものではない。一対の鋏片２０，２１が第一の連結部１４を中心として互いに開閉動可能に支持されるような構成であればよい。
【００７２】
上記実施形態においては、第一の連結部１４は、雄ねじ１４ａと、該雄ねじ１４ａに係合可能な雌ねじ１４ｂとによって形成されているが、これに限定されるものではなく、両鋏片２０，２１が互いに回動可能に枢結されるような構成であればよい。
【００７３】
上記実施形態においては、一方の鋏片２０の柄部１２が、該鋏片２０の刃部１０に対して回動可能に連結支持されるようにしたが、これに限定されるものではない。他方の鋏片２１の柄部１３、或いは、両方の鋏片２０，２１の柄部１２，１３が、該鋏片２０，２１の刃部１０，１１に対して互いに回動可能に連結支持されるようにしてもよい。
【００７４】
上記実施形態においては、第二の連結部１６は、雄ねじ１６ａと、該雄ねじ１６ａに係合可能な雌ねじ１６ｂとによって形成されているが、これに限定されるものではなく、一方の柄部１２が、刃部１０，１１に対して回動可能に枢結されるような構成であればよい。
【００７５】
上記実施形態においては、ロック機構１７は、少なくとも一方の鋏片２０（２１）の刃部１０（１１）の基端部に形成された複数の切り欠き１７ａ・・・と、一方の鋏片２０の柄部１２に設けられるとともに、切り欠き１７ａ・・・に対してスライド自在に係合可能な係止部１７ｄとで構成されているが、これに限定されるものではなく、少なくとも一方の鋏片２０（２１）の柄部１２（１３）を所定の回動位置でロックできるような構成であればよい。
【００７６】
上記実施形態においては、３つの切り欠き１７ａ，１７ｂ，１７ｃが形成されているが、これに限定されるものではなく、例えば、少なくとも一方の鋏片２０（２１）の柄部１２（１３）がロックされる所定位置を増やしたい場合等、切り欠きの数を増やすようにしてもよい。そうすれば、刃部１０，１１に対する柄部１２（１３）のロック位置を増やすことができ、汎用性が高まる。
【００７７】
上記実施形態においては、３つの切り欠き１７ａ，１７ｂ，１７ｃは、断面視において略台形状となるように形成されているとともに、係止部１７ｄは、略台形状の３つの切り欠き１７ａ，１７ｂ，１７ｃと係止可能となるように、断面視において、略台形状に形成された頭部１７ｅを有するようにしたが、これに限定されるものではなく、３つの切り欠き１７ａ，１７ｂ，１７ｃと係止部１７ｄとが係合可能な形状であればよい。
【００７８】
上記実施形態においては、操作ボタン１８は、一方の鋏片２０の柄部１２に沿うように、断面視において、略楕円形状となるように形成されているが、これに限定されるものではなく、操作ボタン１８は、柄部１２の長手方向に沿ってスライド可能な形状であればよい。
【産業上の利用可能性】
【００７９】
本考案の鋏は、左右両利き用として使用する場合に有効に利用される。
【符号の説明】
【００８０】
１０，１１  刃部、１０ａ，１１ａ、１０ｂ，１１ｂ  切刃部、１２，１３  柄部、１４  連結部、２０，２１  一対の鋏片、１００  鋏。
【図１】
0003184736.tif 000003
【図２】
0003184736.tif 000004
【図３】
0003184736.tif 000005
【図４】
0003184736.tif 000006
【図５】
0003184736.tif 000007
【図６】
0003184736.tif 000008
【図７】
0003184736.tif 000009
【図８】
0003184736.tif 000010
【図９】
0003184736.tif 000011
【図１０】
0003184736.tif 000012
【図１１】
0003184736.tif 000013
【図１２】
0003184736.tif 000014
【図１３】
0003184736.tif 000015
【図１４】
0003184736.tif 000016